(57)【要約】【解決手段】箱型に組み立てられた折り畳みコンテナーの相対する長側壁２を、先ず最初に、相対する長側壁の先端部が互いに重なるような状態で、底部１の上に倒し、次いで、相対する短側壁３を、前記長側壁の上に倒すことにより、箱型に組み立てられた折り畳みコンテナーを折り畳むように構成された折り畳みコンテナーにおいて、前記長側壁に配設された雄ヒンジ部材Ｈ２を、前記長側壁の内面２ｂ１より、所定距離だけ、引っ込ませたものである。【効果】折り畳まれた状態における長側壁を、雄ヒンジ部材が、長側壁の内面と略面一である従来の長側壁に比べて、下方に位置することができ、従って、折り畳まれた状態の折り畳みコンテナーの高さを低くすることができ、折り畳まれた状態の折り畳みコンテナーの収納効率を向上することができる。【選択図】図５
2005112412.tif 000002
【特許請求の範囲】
【請求項１】
箱型に組み立てられた折り畳みコンテナーの相対する長側壁を、先ず最初に、相対する長側壁の先端部が互いに重なるような状態で、底部の上に倒し、次いで、相対する短側壁を、前記長側壁の上に倒すことにより、箱型に組み立てられた折り畳みコンテナーを折り畳むように構成された折り畳みコンテナーにおいて、前記長側壁に配設された雄ヒンジ部材を、前記長側壁の内面より、所定距離だけ、引っ込ませたことを特徴とする折り畳みコンテナー。
【発明の詳細な説明】
【技術分野】
【０００１】
本発明は、底部と、底部にヒンジ連結された側壁とから構成された折り畳み可能な折り畳みコンテナーに関するものである。
【背景技術】
【０００２】
従来、箱型に組み立てられた折り畳みコンテナーの一方の相対する側壁を、該相対する側壁の先端部が互いに重なるような状態で、底部の上に倒し、次いで、もう一方の相対する側壁を、一方の相対する側壁の上に倒すことにより、箱型に組み立てられた折り畳みコンテナーを、折り畳むように構成された折り畳みコンテナーが知られている。
【０００３】
折り畳まれた状態の折り畳みコンテナーの収納効率を上げるために、折り畳まれた状態の折り畳みコンテナーの高さを低くするために、互いに重なるように折り畳まれる側壁の先端部を薄くするように構成された折り畳みコンテナーが、特許文献１に開示されている。
【特許文献１】特開２００１−２８７７３７号公報
【発明の開示】
【発明が解決しようとする課題】
【０００４】
折り畳まれた状態の折り畳みコンテナーの高さを低くするために、互いに重なるように折り畳まれる側壁の先端部を薄くすると、側壁の剛性や強度が低下し、ひいては、箱型に組み立てられた折り畳みコンテナーの剛性や強度が低下するという問題があった。特に、特許文献１に開示されている折り畳みコンテナーのように、長側壁の先端部を薄くすると、短側壁に比べて、もともと、剛性や強度の落ちる長側壁の剛性や強度が更に低下することになる。
【０００５】
本発明の目的は、上述した従来の折り畳みコンテナーが有する課題を解決することにある。
【課題を解決するための手段】
【０００６】
本発明は、上述した目的を達成するために、箱型に組み立てられた折り畳みコンテナーの相対する長側壁を、先ず最初に、相対する長側壁の先端部が互いに重なるような状態で、底部の上に倒し、次いで、相対する短側壁を、前記長側壁の上に倒すことにより、箱型に組み立てられた折り畳みコンテナーを折り畳むように構成された折り畳みコンテナーにおいて、前記長側壁に配設された雄ヒンジ部材を、前記長側壁の内面より、所定距離だけ、引っ込ませたものである。
【発明の効果】
【０００７】
本発明は、上述した構成を有するので、以下に記載する効果を奏することができるものである。
【０００８】
先に倒される長側壁に配設された雄ヒンジ部材を、長側壁の内面より、所定距離だけ、引っ込ませたので、折り畳まれた状態における長側壁を、雄ヒンジ部材が、長側壁の内面と略面一である従来の長側壁に比べて、下方に位置することができ、従って、折り畳まれた状態の折り畳みコンテナーの高さを低くすることができ、折り畳まれた状態の折り畳みコンテナーの収納効率を向上することができる。
【実施例】
【０００９】
以下に、本発明の実施例について説明するが、本発明の趣旨を越えない限り、何ら、本実施例に限定されるものではない。
【００１０】
先ず最初に、図１〜図３を用いて、本発明の折り畳みコンテナーの全体構成について説明する。
【００１１】
１は、平面形状が略長方形の底部で有り、底部１は、相対する長辺側に形成された土手部（以下、長辺側土手部という。）１ａと、相対する短辺側に形成された土手部（以下、短辺側土手部という。）１ｂとを有しており、短辺側土手部１ｂの高さは、長辺側土手部１ａの高さより、高く形成されている。また、短辺側土手部１ｂ及び長辺側土手部１ａには、後述する雌ヒンジ部材Ｈ１が、所定の間隔で適当数、配設されている。
【００１２】
２は、長側壁であり、長側壁２の下部フランジ２ａの裏面には、底部１の長辺側土手部１ａに配設された雌ヒンジ部材Ｈ１に対応して、後述する雄ヒンジ部材Ｈ２が配設されている。３は、短側壁であり、短側壁３の下部フランジ３ａの裏面にも、底部１の短側壁土手部１ｂに配設された雌ヒンジ部材Ｈ１に対応して、後述する雄ヒンジ部材Ｈ２が配設されている。
【００１３】
長側壁２の下部フランジ２ａに配設された雄ヒンジ部材Ｈ２と底部１の長辺側土手部１ａに配設された雌ヒンジ部材Ｈ１とを連結することにより、長側壁２が、底部１にヒンジ連結され、また、短側壁３の下部フランジ３ａに配設された雄ヒンジ部材Ｈ２と底部１の短辺側土手部１ｂに配設された雌ヒンジ部材Ｈ１とを連結することにより、短側壁３が、底部１にヒンジ連結されて、折り畳みコンテナーが構成されることになる。
【００１４】
短側壁３の横長の略長方形状の板状部３ｂの両端部には、板状部３ｂに対して略直角方向に延在する縦長の係合枠４が形成されており、係合枠４には、適当数の透孔４ａが穿設されている。係合枠４は、板状部３ｂの上端から中程まで延在している。また、係合枠４付近に位置する板状部３ｂにコの字状のスリット５を形成することにより、係合枠４側が自由端に形成された弾性舌片６が形成されている。弾性舌片６の先端部には、係合枠４と対向するように、係止凸部６ａが形成されている。
【００１５】
長側壁２の横長の略長方形状の板状部２ｂの両端部には、板状部２ｂを延長することにより、縦長の係合枠７が形成されており、係合枠７には、短側壁３に形成された係合枠４に穿設されている透孔４ａに嵌合する嵌合突起７ａが形成されている。
【００１６】
図３に示されているように、折り畳まれた状態から、図１に示されているように、箱型に組み立てるには、先ず最初に、略水平状態の短側壁３を、略垂直に立てる。次いで、先端部が互いに重なり合った状態の相対する一対の略水平状態の長側壁２のうち、上に位置する長側壁２を、略垂直に立てられた短側壁３方向に回動させると、長側壁２の係合枠７に形成された嵌合突起７ａの短側壁３の係合枠４に穿設された透孔４ａへの嵌合に前後して、長側壁２の係合枠７が、短側壁３に形成された弾性舌片６の係止凸部６ａに当接し、弾性舌片６を外側に変形させる。そして、長側壁２の係合枠７が、短側壁３に形成された弾性舌片６の係止凸部６ａを通過した時点で、長側壁２により外側に押された弾性舌片６が、その復元力により戻り、弾性舌片６の係止凸部６ａが、略垂直に立てられた長側壁２の係合枠７に当接し、長側壁２の底部１方向への回動を阻止するように構成されている。同様にして、先端部が互いに重なり合った状態の一対の略水平状態の長側壁２のうち、下に位置する長側壁２を略垂直に立てて、折り畳みコンテナーを箱型に組み立てる。
【００１７】
また、箱型に組み立てられた折り畳みコンテナーを、折り畳むには、先ず最初に、短側壁３の弾性舌片６を、その係止凸部６ａが、長側壁２の係合枠７から外れるように、外側に押し、その後、長側壁２を底部１方向に回動させることにより、長側壁２の係合枠７に形成された嵌合突起７ａを、短側壁３の係合枠４に穿設された透孔４ａから排出させて、一対の長側壁２を、その先端部が互いに重なり合うように、底部１の上に倒す。その後、略垂直な短側壁３を、底部１方向に倒すことにより、箱型に組み立てられた折り畳みコンテナーを折り畳むように構成されている。
【００１８】
次に、図４〜図６を用いて、底部１の長辺側土手部１ａに配設されている雌ヒンジ部材Ｈ１を例に、雌ヒンジ部材Ｈ１について説明するとともに、長側壁２の下部フランジ２ａに配設されている雄ヒンジ部材Ｈ２を例に、雄ヒンジ部材Ｈ２について説明する。
【００１９】
底部１の長辺側土手部１ａは、底部１の底板１ｃの縁部から上方に略垂直に延在する内壁部１ａ１と、内壁部１ａ１の上端から外側に略水平に延在する水平部１ａ２と、水平部１ａ２の縁部から下方に底板１ｃ付近まで延在する外壁部１ａ３とから構成されており、長手方向に対して垂直な断面形状が、略逆Ｕ字状に形成されている。長辺側土手部１ａには、平面形状が長方形の縦孔１ｄが形成されており、また、長辺側土手部１ａの内壁部１ａ１には、上方が開放されているとともに、底板１ｃ方向に延在する方形状の切欠き凹部１ｅが形成されている。切欠き凹部１ｅの横幅（長辺側土手部１ａの長手方向に沿った長さ）Ｗ１は、縦孔１ｄの長辺長さ（長辺側土手部１ａの長手方向に沿った長さ）Ｗ２より短く、且つ、切欠き凹部１ｅは、縦孔１ｄの長辺の略中央部に位置している。また、切欠き凹部１ｅの両側に位置する内壁部１ａ１の内面（外壁部１ａ３側に位置する面）の上端部には、フック１ｆが突設されている。上記の長辺側土手部１ａに形成された縦孔１ｄ、切欠き凹部１ｅ及びフック１ｆにより、雌ヒンジ部材Ｈ１が構成されている。
【００２０】
一方、長側壁２の板状部２ｂに垂直な下部フランジ２ａの裏面には、所定の間隔をおいて、且つ、下部フランジ２ａの長手方向に対して垂直に、一対の板状の支持片２ｃが垂設されており、また、一対の支持片２ｃは、連結片２ｄにより連結されている。支持片２ｃは、板状部２ｂの内面（折り畳みコンテナーが、箱型に組み立てられた際に、内側の位置する面）２ｂ１側に位置する垂直端面２ｃ１が、長側壁２の板状部２ｂの内面２ｂ１より、所定距離Ｄ１だけ、引っ込んで位置するように配置されている。なお、長側壁２の下部フランジ２ａと支持片２ｃの垂直端面２ｃ１とにより形成される隅部に、傾斜面２ｅを形成することが好ましい。
【００２１】
上述した支持片２ｃの板状部２ｂに対して垂直な方向の幅Ｗ３は、上述した底部１の長辺側土手部１ａに形成された縦孔１ｄの短辺長さＷ４より、若干、短く形成されている。一対の支持片２ｃの外側面（一対の支持片２ｃの相対する面とは反対側の面）の下部には、外側面に垂直方向にヒンジブロック２ｆが突設されている。そして、ヒンジブロック２ｆの下部フランジ２ａとの対向面（以下、上面という。）２ｆ１は、下部フランジ２ａと略平行な平坦面として形成されており、また、上記の上面２ｆ１の板状部２ｂ側に位置する端部には、略直方体状の当接ブロック部２ｆ２が突設されており、更に、上面２ｆ１と相対する面（長側壁２を垂直に立てた際の底面）２ｆ３は、支持片２ｃの略円弧状先端面に沿って、略円弧状に形成されている。
【００２２】
ヒンジブロック２ｆの長側壁２の板状部２ｂ側の端面２ｆ４は、支持片２ｃの板状部２ｂの内面２ｂ１側に位置する垂直端面２ｃ１と、略面一になるように構成されている。ヒンジブロック２ｆの下部フランジ２ａに対して垂直方向の幅（ヒンジブロック２ｆの底面２ｆ３から当接ブロック部２ｆ２の上面までの高さ）Ｗ５は、底部１の長辺側土手部１ａの外壁部１ａ３と内壁部１ａ１の内面に突設されたフック１ｆの先端との間の間隙より、若干、狭く形成されている。上記の一対の支持片２ｃとヒンジブロック２ｆとにより、雄ヒンジ部材Ｈ２が構成されている。
【００２３】
底部１と長側壁２とをヒンジ連結するには、図４に示されているように、長側壁２を、略水平状態に配置し、その後、その状態を維持したまま、長側壁２を、底部１に向かって下降させ、長側壁２に形成されたヒンジブロック２ｆが突設されている支持部２ｃを、長辺側土手部１ａに形成された縦孔１ｄ及び切欠き凹部１ｅに挿入すると、ヒンジブロック２ｆは、底部１に形成された長辺側土手部１ａの外壁部１ａ３と内壁部１ａ１の内面に突設されたフック１ｆとの間を通過し、図５に示されているように、底部１に形成された長辺側土手部１ａの外壁部１ａ３と内壁部１ａ１との間に配置されることになる。このようにして、底部１の長辺側土手部１ａに配設された雌ヒンジ部材Ｈ１と長側壁２に配設された雄ヒンジ部材Ｈ２とをヒンジ連結する。なお、底部１の短辺側土手部１ｂに配設された雌ヒンジ部材Ｈ１と短側壁３に配設された雄ヒンジ部材Ｈ２とのヒンジ連結も同様であるので、その説明は省略する。
【００２４】
図５には、一対の長側壁２のうち、最初に底部１方向に倒された状態の長側壁２と底部１とのヒンジ連結状態が示されており、最初に底部１方向に倒された長側壁２の先端部は、底部１に当接しているとともに、長側壁２の下部フランジ２ａに垂設された支持片２ｃの板状部２ｂの内面２ｂ１側に位置する垂直端面２ｃ１が、底部１の長辺側土手部１ａの内壁部１ａ１に形成された切欠き凹部１ｅを構成する水平縁部１ｅ１に載置されるように構成されている。
【００２５】
また、上述したように、最初の長側壁２が底部１方向に倒された状態においては、一対の支持片２ｃの外側面に形成されたヒンジブロック２ｆの当接ブロック部２ｆ２は、長辺側土手部１ａの内壁部１ａ１に形成されているフック１ｆの庇部１ｆ１の下方に位置しているとともに、庇部１ｆ１と当接ブロック部２ｆ２との間には、ヒンジブロック２ｆ、換言すれば、長側壁２が、上下方向にがたつくことができるように、所定の間隙が形成されている。更に、長辺側土手部１ａの外壁部１ａ３とヒンジブロック２ｆの上端部との間、及び、内壁部１ａ１の内面に突設されたフック１ｆとヒンジブロック２ｆの上端部との間には、所定の間隙が形成されており、ヒンジブロック２ｆ、換言すれば、長側壁２が、左右方向にがたつくことができるように構成されている。このように構成することにより、底部１の上に最初に倒された長側壁２に形成された支持片２ｃに突設されたヒンジブロック２ｆが、底部１に形成された長辺側土手部１ａの内壁部１ａ１に突設されたフック１ｆに当接するようなことがないので、長側壁２を、その先端部が、底部１の底板１ｃに当接するまで回動することができ、従って、最初に倒される長側壁２の先端部が、底部１の底板１ｃに当接していない場合に比べて、最初に倒される長側壁２の先端部を、より低い位置に配置することができ、ひいては、折り畳まれた折り畳みコンテナーの全体の高さを低くすることができ、よって、折り畳まれた折り畳みコンテナーの収納効率を高めることができる。
【００２６】
また、上述したように、長側壁２が、底部１の上に倒されて、折り畳みコンテナーが折り畳まれた状態において、底部１の上に最初に倒された長側壁２に形成された支持片２ｃに突設されたヒンジブロック２ｆが、底部１に形成された長辺側土手部１ａの内壁部１ａ１に突設されたフック１ｆに当接するようなことがないので、ヒンジブロック２ｆや支持片２ｃやフック１ｆ等が損傷するようなことを防止することができる。
【００２７】
折り畳みコンテナーが折り畳まれた状態から、略水平状態の長側壁２を、略垂直に立てると、図６に示されているように、ヒンジブロック２ｆの当接ブロック部２ｆ２が、底部１に形成された長辺側土手部１ａの内壁部１ａ１に突設されたフック１ｆの庇部１ｆ１の下に入り込むとともに、長側壁２の下部フランジ２ａが、底部１の長辺側土手部１ａの水平部１ａ２に載置されることになる。そして、フック１ｆの庇部１ｆ１の下に入り込んだヒンジブロック２ｆの当接ブロック部２ｆ２は、フック１ｆの庇部１ｆ１と当接するように、或いは、接近した位置をとるように構成されており、従って、折り畳みコンテナーが、箱型に組み立てられた状態においては、長側壁２が、上下方向にがたつくようなことがない。
【００２８】
更に、長側壁２の下部フランジ２ａに垂設された支持片２ｃの板状部２ｂの内面２ｂ１側に位置する垂直端面２ｃ１は、板状部２ｂの内面２ｂ１より、所定距離Ｄ１だけ、引っ込んでいるので、最初の長側壁２が底部１方向に倒され、支持片２ｃの垂直端面２ｃ１が、底部１の長辺側土手部１ａの内壁部１ａ１に形成された切欠き凹部１ｅを構成する水平縁部１ｅ１に載置された状態においては、支持片２ｃの垂直端面２ｃ１が、板状部２ｂの内面２ｂ１と略面一である従来の長側壁に比べて、支持片２ｃの垂直端面２ｃ１が、長側壁２の板状部２ｂの内面２ｂ１から引っ込んだ分（上記の引っ込んで距離Ｄ１）だけ、長側壁２が下方に位置することになる。従って、折り畳まれた状態の折り畳みコンテナーの高さを低くすることができ、折り畳まれた状態の折り畳みコンテナーの収納効率を向上することができる。
【００２９】
なお、後から倒される短側壁３の下部フランジ３ａの裏面にも、長側壁２の下部フランジ２ａに配設された雄ヒンジ部材Ｈ２と同様の雄ヒンジ部材Ｈ２が配設されているが、短側壁３の雄ヒンジ部材Ｈ２を構成する支持片２ｃは、必ずしも、長側壁２の下部フランジ２ａに配設された雄ヒンジ部材Ｈ２の支持片２ｃのように、引っ込んでいる必要はない。
【００３０】
また、上述したように、長側壁２の下部フランジ２ａと支持片２ｃの垂直端面２ｃ１とにより形成される隅部には、傾斜面２ｅが形成されているので、箱型に組み立てられた折り畳みコンテナーに収納された物品を取り出す際に、物品を、傾斜面２ｅに沿って、スームースに、取り出すことができる。このような傾斜面２ｅが形成されていない場合には、物品が、長側壁２の下部フランジ２ａと板状部２ｂとにより形成される略９０度の角部に引っ掛かり、スームースな物品の取り出しが阻害されことになる。
【図面の簡単な説明】
【００３１】
【図１】図１は、箱型に組み立てられた状態の本発明の折り畳みコンテナーの斜視図である。
【図２】図２は、組み立て途中或いは折り畳み途中の本発明の折り畳みコンテナーの斜視図である。
【図３】図３は、折り畳まれた状態の本発明の折り畳みコンテナーの斜視図である。
【図４】図４は、本発明の折り畳みコンテナーの長側壁と底部との部分分解斜視図である。
【図５】図５は、本発明の折り畳みコンテナーの長側壁と底部とのヒンジ連結を説明するためのヒンジ連結部分の垂直断面図である。
【図６】図６は、同じく、本発明の折り畳みコンテナーの長側壁と底部とのヒンジ連結を説明するためのヒンジ連結部分の垂直断面図である。
【符号の説明】
【００３２】
Ｈ１・・・・・・・・・・・雌ヒンジ部材
Ｈ２・・・・・・・・・・・雄ヒンジ部材
１・・・・・・・・・・・・底部
１ａ・・・・・・・・・・・長辺側土手部
１ｂ・・・・・・・・・・・短辺側土手部
２・・・・・・・・・・・・長側壁
３・・・・・・・・・・・・短側壁
【図１】
2005112412.tif 000003
【図２】
2005112412.tif 000004
【図３】
2005112412.tif 000005
【図４】
2005112412.tif 000006
【図５】
2005112412.tif 000007
【図６】
2005112412.tif 000008